(57)【要約】本発明は、メインデータキャリア及び前記メインデータキャリアに関連付けられたチップを有する記憶装置のアプリケーションを提案するものであり、提案されたアプリケーションは、携帯用無線通信装置と共にそのような記憶装置を使用することに向けられるものである。提案されたアプリケーションは、ａ）記憶装置を記述するデータを携帯用無線通信装置に送信すること；ｂ）希望された通報に対する応答として、警告を携帯用無線通信装置に送信すること；ｃ）携帯用無線通信装置により送信された特定データを記憶すること；ｄ）要求により、特定データを返却すること、である。本発明はまた、そのようなアプリケーションを実行することが特に予定されている携帯用無線通信装置を提案するものである。有利にも、携帯装置の無線通信手段は、無接点チップに動力を与える信号を生成するために使用される。
2006510964.tif 000002
【特許請求の範囲】
【請求項１】
データを表示するためのディスプレイと、
メインデータキャリアに関連付けられた無接点チップに動力信号を送信し、前記チップによって返却された信号を受信し、前記受信された信号は前記メインデータキャリアに関連するチップを搬送する無線送信／受信装置と、
前記メインデータキャリアにおいてデータを読み込む及び／又は書き込むための読込み及び／又は書込み装置と、
ａ）チップデータを表示すること；ｂ）チップデータを前記メインデータキャリアに書き込むこと；ｃ）前記メインデータキャリアにおいて読込み／書込みを許可／否定するためにチップデータをチェックすること、の少なくとも１つを実行するために前記チップを処理するための処理手段と、
を少なくとも有する携帯用無線通信装置。
【請求項２】
無線通信ネットワークにおける通信のための無線通信信号を生成することを意図しており、
前記無線送信／受信装置は、
前記無線通信信号の前記周波数を前記無接点チップの動作周波数に調節し、前記動力信号を発生する調節手段と、
前記返却信号を復調し、前記チップデータを取り戻す復調手段と、
を有することを特徴とする請求項１記載の携帯用無線通信装置。
【請求項３】
装置データと呼ばれるデータと共に前記動力信号を変調し、前記装置データを前記無接点チップに送信する変調手段を更に有することを特徴とする請求項１又は２記載の携帯用無線通信装置。
【請求項４】
前記チップに特定データを記憶する要求に関連する装置データを送信し、
前記チップに記憶された特定データを取り戻す要求に関連する装置データを送信する請求項３記載の携帯用無線通信装置。
【請求項５】
メインデータキャリア及び前記メインデータキャリアに関連付けられた無接点チップを有する記憶装置であって、
前記無接点チップは、
携帯用無線通信装置によって送信された動力信号を受信する受信手段と、
処理手段、メモリ手段及び送信手段と、を有し、
前記処理手段、前記メモリ手段及び前記送信手段は、
ａ）動力信号を受信すると、前記メモリ手段に記憶され前記記憶装置を記述するチップデータを返却し、ｂ）前記動力信号が記憶装置希望された通報に関する装置データを搬送する場合に、記憶装置が希望された記憶装置か否かを確認し、前記記憶装置が希望された記憶装置である場合に前記携帯用無線通信装置に警告を送信し、ｃ）前記動力信号が前記チップに特定データを記憶する要求に関連する装置データを搬送する場合に、前記メモリ手段に前記特定データを記憶し、ｄ）前記メモリ手段に記憶された特定データを取り戻す要求に関連する装置データを搬送する場合に前記特定データを送信する、という行為の少なくとも１つを実行することを特徴とする記憶装置。
【請求項６】
前記携帯用無線通信装置は、前記メインデータキャリアが前記携帯用無線通信装置に挿入されたときに、メインデータキャリアにおいてデータを読み込み及び／又は書き込むための読込み及び／又は書込み装置を含み、
前記特定データは、前記携帯用無線通信装置を介してユーザによって入力されたユーザ定義データであり、前記ユーザ定義データは前記メインデータキャリアにおける読込み／書込みを許可するために前記携帯用無線通信装置によって使用されることを特徴とする請求項５記載の記憶装置。
【請求項７】
前記携帯用無線通信装置は、前記メインデータキャリアが前記携帯用無線通信装置に挿入されたときに、メインデータキャリアにおいてデータを読み込み及び／又は書き込むための読込み及び／又は書込み装置を含み、
前記特定データは、前記メインデータキャリアに書き込まれるメインデータであることを特徴とする請求項５記載の記憶装置。
【請求項８】
前記メインデータキャリアが詰め込まれ、前記無接点チップが埋め込まれている容器を有することを特徴とする請求項５記載の記憶装置。
【請求項９】
メインデータキャリアにメインデータを提供し、
少なくとも、データを搬送する動力シグナルを受信する受信手段、処理手段、メモリ手段、及びデータを搬送する信号を送信する送信手段を有する無接点チップにおけるプログラム指示を提供し、
容器に前記無接点チップを埋め込み、
前記容器に前記メインデータキャリアを詰め込むステップを有し、
前記プログラム指示は、前記処理手段により実行されたときに、ａ）前記チップに特定データを記憶する要求を搬送する動力信号を受領すると、前記メモリ手段に前記特定データを記憶し、ｂ）前記メモリ手段に記憶されている特定データを取り戻す要求を搬送する動力信号を受領すると、前記特定データを搬送する信号を返却する、という行為の少なくとも１つを行うことを意図することを特徴とする記憶装置の製造方法。
【請求項１０】
メインデータキャリアにメインデータを提供し、
少なくとも、前記記憶装置を記述する前記メインデータの一部及び、データを搬送する動力シグナルを受信する受信手段、処理手段、メモリ手段、及びデータを搬送する信号を送信する送信手段を有する無接点チップにおけるプログラム指示を提供し、
容器に前記無接点チップを埋め込み、
前記容器に前記メインデータキャリアを詰め込むステップを有し、
前記プログラム指示は、前記処理手段により実行されたときに、ａ）動力信号を受領すると、前記メモリ手段に記憶され前記記憶装置を記述するデータを返却し、ｂ）希望された記憶装置に関連する希望された通報を搬送する動力信号を受領すると、前記記憶装置が前記希望された記憶装置か否かを確認し、前記記憶装置が希望された記憶装置である場合に警告を送信する、という行為の少なくとも１つを行うことを意図することを特徴とする記憶装置の製造方法。
【請求項１１】
請求項１に記載の携帯用無線通信装置及び請求項５に記載の記憶装置を有することを特徴とするシステム。
【発明の詳細な説明】
【技術分野】
【０００１】
本発明は、メインデータキャリアに関連付けられた無接点チップを備えた携帯用無線通信装置を扱う。本発明はまた、メインデータキャリア及び前記メインデータキャリアを備えた無接点チップを有する記憶装置を扱う。本発明はまた、そのような記憶装置を製造する方法を扱う。本発明はまた、そのような携帯用無線通信装置及び記憶装置を有するシステムを扱う。
【０００２】
本発明は有利にも、光ディスクにおける記憶に適用され、より具体的には、携帯電話、個人的なデジタル援助、ゲーム・ステーション等の如き、携帯用電子装置で使用される小型光ディスクにおける記憶に適用される。
【背景技術】
【０００３】
２００２年２月２８日にコーニンクレッカ  フィリップス  エレクトロニクス  エヌ  ヴィによって出願された国際公開公報ＷＯ０２／１７３１６には、プレヤーによって読まれることを意図した記憶装置が記載されている。この記憶装置は、無接点集積回路（チップともよばれる）が埋められたデータキャリアから成る。このチップは、動力信号を受信するための受信手段及びデータキャリアにおいてデータを書き込む／読み込むために使用されるスクランブル／ディスクランブルキーを送信する送信手段を有する。無接点チップは、データキャリアがプレヤー中にあるときは、プレヤーにより光学的に動力が与えられる。国際公開公報ＷＯ０２／１７３１６では、チップは、コピーからデータキャリアを保護するために使用される。
【特許文献１】国際公開公報ＷＯ０２／１７３１６
【発明の開示】
【発明が解決しようとする課題】
【０００４】
本発明の１つの目的は、メインデータキャリア及び前記メインデータキャリアに関連付けられたチップを有する記憶装置の他のアプリケーションであり、携帯用無線通信装置と共にそのような記憶装置を使用することものを提案することである。
【０００５】
本発明の他の目的は、特にそのようなアプリケーションを実行するための携帯用無線通信装置を提案することである。
【０００６】
本発明の他の目的は、携帯用無線通信装置における使用に特に適した記憶媒体の別の形態を提案することである。
【０００７】
本発明の更なる別の目的は、そのような記憶装置の製造方法を提案することである。
【課題を解決するための手段】
【０００８】
これは、クレーム５乃至８の１つにクレームされた記憶装置により、クレーム１乃至４の１つにクレームされた携帯用無線通信装置により、クレーム９及び１０の１つにクレームされた製造方法により、クレーム１１にクレームされたシステムにより達成される。
【０００９】
本発明によれば、メインデータキャリアに関連付けられたチップは、携帯用無線通信装置により動力が与えられ、以下のアプリケーションの少なくとも１つを実行するために使用される。
ａ）記憶装置を記述するデータを携帯用無線通信装置に送信すること；
ｂ）希望された通報に対する応答として、警告を携帯用無線通信装置に送信すること；
ｃ）携帯用無線通信装置により送信された特定データを記憶すること；
ｄ）要求により、特定データを返却すること。
【００１０】
携帯用無線通信装置は、そのようなメインデータキャリアにおいてデータを読み込む及び／又は書き込むための読込み及び／又は書込み装置を有する。それに加えて、無接点チップに動力を与えること、チップに装置データを送ること、チップからチップデータを受けること、及び以下の行為の１つを行うことが特に予定されている。
ａ）チップにより送られたチップデータを表示すること；
ｂ）チップにより送られたチップデータを、チップに関連付けられたメインデータキャリアに書き込むこと；
ｃ）チップにより送られたチップデータとは独立して、メインデータキャリアにアクセスすることを許可／否定すること。
【００１１】
本発明の第１実施形態では、記憶装置が、ユーザによって直接読むことができる形で情報を搬送するには小さすぎる場合に、有利にも、
−携帯用無線通信装置の表示が、記憶装置を記述するデータ（例えば、タイトル、内容についての表）を表示するために用いられる；
−及び／又は、携帯用無線通信装置は、記憶装置に関する希望された通報を送ることが予定され、記憶装置はそれに向けられた希望された通報を受信したときに警告を送ることが予定されている（例えば、警告は、光及び／又は音の信号であってもよい）。
【００１２】
本発明の第２実施形態では、チップに記憶されるべき携帯用無線通信装置によって送られる装置データは、ユーザ定義データ、例えば、パスワード及び／又は両親型制御データであり、メインデータキャリアにおいて読込み／書込みを許可／否定するための携帯用装置によって引き出されることを予定されている。
【００１３】
本発明の第３実施形態では、チップはメインデータキャリアに対しロックされたバッファとして使用され、メインデータキャリアに記憶されることが予定されたデータが記憶される（例えば、機械的悪条件、不十分な動力、又はメインデータキャリアにおける不十分な可能メモリースペースのため、メインデータキャリアへの書込みが仮に不可能だからである）。
【００１４】
メインデータキャリアがチップに搬送するには小さすぎる場合は、記憶装置は有利にも、メインデータキャリアが詰められチップが埋められた容器を有する。「容器」という語は、カートリッジ又はカセットのような品目を示す。
【００１５】
携帯用無線通信装置は、無線通信ネットワークにおける通信のための無線通信信号を生成する無線通信手段を有する（例えば、ＧＳＭ又はＧＰＲＳネットワーク）。
【００１６】
有利にも、これらの無線通信信号は、無接点チップに動力を与えることを意図した動力信号を発生するために使用される。これは、以下と共に携帯用無線通信装置を提供することによって達成される。
−無線通信信号の周波数を無接点チップの動作周波数に調節し、動力信号を発生する調節手段、
−返却信号を復調し、チップデータを取り戻す復調手段、
−装置データとよばれるデータで動力信号を変調し、無接点チップへ装置データを送信する任意的な変調手段。
【００１７】
無接点チップに動力を与え／無接点チップと通じ合うために、完全な無接点リーダの使用を回避することは、そのような携帯用無線通信装置のコストを減少させる。
【発明を実施するための最良の形態】
【００１８】
図１は、本発明の記憶装置の例の概略図である。記憶装置１は、容器２、容器２に詰まれたメインデータ３、及び容器２に埋め込まれた無接点チップ４を有する。本例では、メインデータキャリアは、青色レーザ技術を用いた小型光学ディスクである（本技術により、直径３センチのディスクに現在、最大１ギガバイトまで記憶することができる）。
【００１９】
無接点チップ４は、リーダーステーションに結合された無線周波数によって動作される。無接点チップは、リーダーステーションの範囲内にあるときに作動のみする。望ましくは、無接点チップ４はマイクロプロセッサーが基礎となっている装置である。
【００２０】
図２は、リーダーステーション１０と無接点受動無線周波数装置１１との間で使用される知られた動力／通信機構の説明図である。リーダーステーション１０は、高周波数信号を送信／受信するための高周波モジュール１３及び第１のコイル１４で示された結合要素を有する。無接点受動無線周波数装置１１は、第２のコイル２０で示された結合要素、第２のコイル２０に平行して接続しているキャパシター２１、第２のコイル２０に平行して接続しているロード２２（例えば、レジスター）、及び集積回路２３を有する。キャパシター２１のキャパシタンスは、リーダーステーション１０の送信周波数に対応した共振周波数で平行共振回路を形成するための第２コイル２０のインダクタンスを結合するように選択される。
【００２１】
第１及び第２のコイルは、無線周波数変圧器の構成要素となり得る。変圧器の１次コイルはリーダーステーション１０のコイル１４である。変圧器の２次コイルは無接点装置１１のコイル２０である。コイル間のスペースは、変圧器の空心である。無接点装置１１がリーダーステーション１０によって発生された磁場内におかれると、電流はコイル２０に誘導され、集積回路２３に動力を与える信号が生成される。
【００２２】
第１のコイル１４を通過するように電流を変調することにより、データは第２のコイル２０に送信される。集積回路２３は動力が与えられると、復調し送信されたデータを回復する。
【００２３】
無接点装置１１によって磁場から引かれたエネルギーは、リーダーステーション１０において測定され得る。従って、ロード２２を変えることは、変調という効果をもたらすものである。無接点装置１１からリーダーステーション１０へのデータ送信は、リーダーステーション１０に送られるべきデータと独立してロード２２の値を制御することによって得られる（このタイプのデータ送信は、ロード変調として知られている）。
【００２４】
本発明によれば、リーダーステーションは、携帯用無線通信装置、例えば、携帯電話の一部である。携帯用無線通信装置は、無線通信ネットワークにおける通信のための無線通信信号を生成する無線通信手段を有する（例えば、ＧＳＭ又はＧＰＲＳネットワーク）。有利にも、携帯用無線通信装置に完全なリーダーステーションを与える代わりに、携帯用無線通信装置において可能な無線通信手段は、無接点チップに動力を与えて通信を行うために使用される。
【００２５】
本発明の携帯用無線通信装置の例が、図３に示されている。携帯用無線通信装置は、中央マイクロプロセッサー装置３０、無線通信装置３１、無線通信アンテナ３２、周波数倍率器３３、変調装置３４、結合装置３５、復調装置３６、バス３７、マンマシーンインターフェース３８、メインデータキャリアにおいてデータを読み込み及び／又は書き込むための読込み及び／又は書込み装置３９を有する。例えば、マンマシーンインターフェース３８は、ディスプレイ、スピーカ、マイクロフォン、キーボード等を有する。本発明を理解する上で重要でない事項は、ここでの説明では省略する。
【００２６】
中央マイクロプロセッサー装置３０、マンマシーンインターフェース３８、及び読込み及び／又は書込み装置３９はバス３７に接続している。中央マイクロプロセッサー装置３０は、無線通信装置３１への無線通信ネットワーク４０における通信の代わりに無線通信データＤ１を送信する。無線通信装置３１は、無線通信データＤ１を搬送する無線通信信号Ｓ１を生成する。無線通信信号Ｓ１はアンテナ３２を介して空中に送信される。アンテナ３２はまた、無線通信アンテナ３２を介して無線通信信号Ｓ２を受信することもできる。無線通信信号Ｓ２は、無線通信ユニット３１によって処理され、無線通信信号Ｓ２によって運ばれた無線通信データＤ２を回復する。回復された無線通信データＤ２は、無線通信装置から中央マイクロプロセッサー装置３１に送信される。中央マイクロプロセッサー装置３１は、マンマシーンインターフェース３８を介してユーザに提示するための無線通信データＤ２を処理する。
【００２７】
例えば、ＧＳＭ無線通信ネットワークでは、無線通信装置３１によって生成された通信信号Ｓ１は周波数域[８９０ＭＨｚ−９１５ＭＨｚ]にある。図２を参照して記されたタイプの知られた動力／通信機構は、ＩＳＭ（工業、科学、及び医療用）周波数帯において動作する。有利にも、本発明のシステムは、２，４５ＭＨｚのＩＳＭ周波数帯において動作する。
【００２８】
周波数倍率器３３は、無線通信装置３１によって送られた無線通信信号Ｓ１から、２，４５ＭＨｚのＩＳＭ周波数帯におけるキャリアＳ３を得るために使用される。そして、変調装置３４は、中央マイクロプロセッサー装置３０によって送られたデータＤ３（装置データと呼ばれる）でキャリアＳ３を変調する。例えば、変調装置３４は、振幅変調装置である。変調された信号Ｓ４は、装置データＤ３を搬送し、結合装置３５へ適用される。
【００２９】
結合装置３５はまた、無接点チップ４によって生成された変調された信号Ｓ５を受信することができる。受信された信号Ｓ５はチップデータＤ４を搬送する。それは、チップデータＤ４を回復する責務がある復調装置３６に転送される。回復されたチップデータＤ３は、中央マイクロプロセッサー装置３１に転送される。
【００３０】
変調装置３４は任意的である。変調装置３４は、装置データが無接点チップに送信される必要のないアプリケーションにおいて得ることができる。
【００３１】
無接点チップ４を備えた通信を伴う限り、マイクロプロセッサー装置３０は、少なくとも以下の行為の実行を制御することの責務を負っている。
−チップにより送られたチップデータＤ４を表示すること；
−チップにより送られたチップデータＤ４を、チップに関連付けられたメインデータキャリアに書き込むこと；
−チップにより送られたチップデータＤ４とは独立して、メインデータキャリアにアクセスすることを許可／否定すること；
−前記チップに特定のデータを記憶させる要求に関する装置データＤ３を送信すること；
−前記チップに特定のデータを取り戻す要求に関する装置データＤ３を送信すること。
【００３２】
本発明のシステムの動作例を、図４乃至７を参照して説明する。
【００３３】
図４に示された第１実施例では、携帯用無線通信装置５０は、記憶装置１を記述するデータを表示するディスプレイ５１を備える。記憶装置１を記述するデータは、タイトル、内容の表等でもよい。記憶装置１が携帯用無線通信装置５０の範囲にある場合には（ステップＫ１１）、それは動力信号ＰＷを受信する。この第１実施例では、チップ４はプログラム化され、動力信号の受領により、記憶装置１を記述するデータであるデータＤＤを返却する（ステップＫ１２）。携帯用無線通信装置５０はプログラム化され、受信したチップデータを表示する。この第１実施例では、記憶装置は携帯用無線通信装置の内部又は外部のいずれにあってもよい。記憶装置が携帯用無線通信装置の内部にある場合には、メインデータキャリア３よりもチップ４から記憶装置を記述するデータを回復することの有利な点は、消費されるエネルギーがより少ないということである。エネルギーを抑えることは携帯用装置にとって重要である。
【００３４】
データＤＤは、例えば、製造工程においてチップ４に記憶される。データＤＤは、後に、例えば、プログラミング・ショップにおいて可能な特定のプログラミング装置によって、チップに記憶されてもよい。
【００３５】
図５に示された第２実施例では、記憶装置が収集された近辺に居る携帯用無線通信装置のユーザは、マンマシーンインターフェースを介して見つけたい記憶装置の識別子ＩＤを入力又は選択することができる（ステップＫ２１）。携帯用無線通信装置はプログラム化され、その特定の記憶装置のための希望する通報ＮＷ（ＩＤ）を送信する（ステップＫ２２）。チップはプログラム化され、希望する通報を受信したときに警告ＷＧを送信する（ステップＫ２３及びＫ２４）。例えば、警告は、光及び／又は音の信号であってもよい。そのような警告に加えて、チップはまた、携帯用無線通信装置（ステップＫ２６）によって表示されるために、希望する記憶装置を記述するデータＤＤを送ってもよい（ステップＫ２５）。
【００３６】
図６に示された第３実施例では、携帯用無線通信装置はプログラム化され、記憶装置がこの装置にある場合には、ユーザが装置のマンマシーンインターフェースを介してユーザ定義データＵＤを入力することが許容される（ステップＫ３１）。ユーザによる入力後、ユーザ定義データを記憶する要求Ｒ（ＵＤ）がチップに送信される（ステップＫ３２）。そのような要求を受領すると、ユーザ定義データがチップ４に記憶される（ステップＫ３３）。携帯用無線通信装置はまた、以前にチップ４に記憶されたユーザ定義データＵＤを取り戻すための要求Ｒ’（ＵＤ）を送信するためにプログラム化されている（ステップＫ３４）。そのような要求を受領すると、チップ４は、ユーザ定義データＵＤを返却する（ステップＫ３５）。ユーザ定義データ、例えば、パスワード及び／又は両親型制御データは、メインデータキャリアにおいて読込み／書込みを許可／否定するために携帯用装置によって取り戻されることを意図されている。
【００３７】
図７に示された第４実施例では、携帯用無線通信装置はプログラム化され、メインデータキャリアにおいてメインデータの書込みの失敗により（ステップＫ４１）、メインデータを記憶する要求Ｒ（ＵＤ）がチップ４に送られる（ステップＫ４２）。そのような要求を受領すると、メインデータは、チップ４に記憶される（ステップＫ４３）。携帯用無線通信装置はまた、以前にチップ４に記憶されたメインデータを取り戻すための要求Ｒ’（ＵＤ）を送信するためにプログラム化されている（ステップＫ４４）。そのような要求を受領すると、チップ４はメインデータを返却する（ステップＫ４５）し、メインデータがメインデータキャリアに書き込まれる（ステップＫ４６）。本実施例は、メインデータキャリアへの書込みが失敗したとき（例えば、機械的悪条件、不十分な動力、又はメインデータキャリアにおける不十分な可能メモリースペースのため、メインデータキャリアへの書込みが仮に不可能だからである）に効果的である。
【００３８】
有利にも、記憶装置１は以下のステップを有する製造方法によって製造される：
−メインデータキャリアにメインデータを提供すること、
−少なくとも、データを搬送する動力シグナルを受信する受信手段、処理手段、メモリ手段、及びデータを搬送する信号を送信する送信手段を有する無接点チップにおけるプログラム指示を提供すること、
−容器に前記無接点チップを埋め込むこと
−前記容器に前記メインデータキャリアを詰め込むこと
前記プログラム指示は、処理手段により実行されたときに少なくとも１つの以下の行為を行うことを意図するものである。
ａ）前記チップに特定データを記憶する要求を搬送する動力信号を受領すると、前記メモリ手段に前記特定データを記憶すること
ｂ）前記メモリ手段に記憶されている特定データを取り戻す要求を搬送する動力信号を受領すると、前記特定データを搬送する信号を返却すること
有利にも、無接点チップには少なくともメインデータの一部が提供される（例えば、記述データ）。
【００３９】
メインデータは、如何なる性質を有していてもよく、例えば、オーディオ、ビデオ、ゲーム、地図等を含んでもよい。
【００４０】
上述した携帯用無線通信装置にあっては、記憶装置及び製造方法、変更又は改良は、本発明の範囲を越えない範囲で可能である。このように本発明は上述の例に限定されるものではない。
【００４１】
特に、代わりとなる動力／通信機構が使用されてもよい（例えば、記憶装置が電話の内部にある場合は、携帯装置から無接点チップへの送信は光学的に行われてもよい）。
【００４２】
例えば、熟慮されたアプリケーションのみが、携帯用無線通信装置のディスプレイにおけるチップデータの表示に関する場合は、上述された読込み及び／又は書込み装置は、携帯用無線通信装置から省略してもよい。
【００４３】
「ｃｏｍｐｒｉｓｉｎｇ」という語はクレーム中でリストされた要素又はステップ以外の要素又はステップの存在を排除するものではない。
【図面の簡単な説明】
【００４４】
本発明のこれらの及び他の面は以下の図面を参照することによって更に示される。
【図１】本発明の記憶装置の例の概略図である。
【図２】無接点無線周波数装置と共に使用される知られた動力／通信機構の説明図である。
【図３】本発明の携帯用無線通信装置の例の概略図である。
【図４】本発明のシステムの実施形態における動作図である。
【図５】本発明のシステムの実施形態における動作図である。
【図６】本発明のシステムの実施形態における動作図である。
【図７】本発明のシステムの実施形態における動作図である。
【図１】
2006510964.tif 000003
【図２】
2006510964.tif 000004
【図３】
2006510964.tif 000005
【図４】
2006510964.tif 000006
【図５】
2006510964.tif 000007
【図６】
2006510964.tif 000008
【図７】
2006510964.tif 000009
【国際調査報告】
2006510964.tif 000010
2006510964.tif 000011